(57)【要約】【課題】新規な吸収性物品を提供する。【解決手段】吸収性物品１は、本体部１００と、前身頃１Ａ及び後身頃１Ｃの一方において、本体部１００に対して幅方向の端部から外側に延出する止着部６と、前身頃１Ａ及び後身頃１Ｃの他方において、幅方向に延在し、本体部１００に積層され、最も非肌面側に配置され、止着部６が固定されるパッチ４と、前身頃１Ａ及び後身頃１Ｃの一方で非肌面側から外観可能に設けられた第一デザイン部５Ｂと前身頃１Ａ及び後身頃１Ｃの他方で非肌面側から外観可能に設けられた第二デザイン部５Ａとを有し、第一デザイン部５Ｂ及び第二デザイン部５Ａの外観が互いに同一または又は類似するデザイン部５と、を備える。本体部１００が、前身頃１Ａ及び後身頃１Ｃの一方のみ又は前身頃１Ａ及び後身頃１Ｃの他方のみに設けられるとともに幅方向に伸縮するギャザー２３を有する。【選択図】図２
2020039795.tif 000002
【特許請求の範囲】
【請求項１】
前身頃，股下部及び後身頃に亘って設けられ、幅方向に延びる基準線を基準に全体形状が線対称又は略線対称であり、全域に亘って実質的に同じ第一色彩の本体部と、
前記前身頃及び前記後身頃の一方において、前記本体部に対して幅方向の端部から外側に延出する止着部と、
前記前身頃及び前記後身頃の他方において、幅方向に延在し、前記本体部に積層され、最も非肌面側に配置され、前記止着部が固定されるパッチと、
前記一方で非肌面側から外観可能に設けられた第一デザイン部と前記他方で非肌面側から外観可能に設けられた第二デザイン部とを有し、前記第一デザイン部及び前記第二デザイン部の外観が互いに同一又は類似するデザイン部と、を備え、
前記本体部が、前記一方のみ又は前記他方のみに設けられるとともに幅方向に伸縮するギャザーを有する
吸収性物品。
【請求項２】
前記パッチが、
前記第二デザイン部に対して非肌面側に配置され、透明もしくは半透明である、又は、前記第二デザイン部と一体的に当該第二デザイン部の外観を構成する主部と、
当該パッチにおいて延在方向の両端部に位置し、前記本体部及び前記主部とは異なる第二色彩である一対の識別部とを有し、
前記主部の全光線透過率が６５〜９９％であり、
前記パッチのほうが前記第二デザイン部よりも幅方向寸法が大きく、
前記一対の識別部が、前記パッチの自由端をなす
請求項１に記載の吸収性物品。
【請求項３】
前記第一デザイン部及び前記第二デザイン部の外観が互いに同一又は類似する前記デザイン部には、色彩又は模様が同一又は類似する前記第一デザイン部及び前記第二デザイン部、前記模様の配置が同一又は類似する前記第一デザイン部及び前記第二デザイン部、幅方向寸法が同一又は略同一の前記第一デザイン部及び前記第二デザイン部、長手方向寸法が同一又は略同一の前記第一デザイン部及び前記第二デザイン部の少なくとも何れかが含まれる
請求項１又は２に記載の吸収性物品。
【請求項４】
前記止着部が、
前記パッチに固定される係止部材と、
前記係止部材が積層され、前記係止部材と前記本体部とを幅方向に結ぶ基材シートとを有し、
前記基材シートが、前記第一色彩と異なる色彩であるとともに前記一対の識別部と同系の第二同系色彩である
請求項２又は請求項２を引用する請求項３に記載の吸収性物品。
【発明の詳細な説明】
【技術分野】
【０００１】
本発明は、吸収性物品に関する。
【背景技術】
【０００２】
テープ型おむつは、幅方向外側に延出したファスニングテープが引っ張られて、フロントパッチ（ランディングテープ）に止め着けられることで、前身頃と後身頃とが着用者の腰部や腹部まわりで連結される。このようなテープ型おむつの一例として、特許文献１には、透明領域と不透明領域とを所定の面積比で設けた止着領域を有するファスニングテープを用いることで、製造時におけるファスニングテープの取り付け位置の確認が容易な使い捨ておむつが提案されている。
【０００３】
また、特許文献２には、おむつの前後を区別するために、前身頃及び後身頃の少なくとも一方に、粘着剤層を被覆する剥離シートを備えたパンツ型おむつが提案されている。
【先行技術文献】
【特許文献】
【０００４】
【特許文献１】特開２００４−１６７０２５号公報
【特許文献２】特許第３４３９２６９号
【発明の概要】
【発明が解決しようとする課題】
【０００５】
本発明は、新規な吸収性物品の提供を目的とする。
【課題を解決するための手段】
【０００６】
上記の目的を達成するために、本発明に係る吸収性物品は、前身頃，股下部及び後身頃に亘って設けられ、幅方向に延びる基準線を基準に全体形状が線対称又は略線対称であり、全域に亘って実質的に同じ第一色彩の本体部と、前記前身頃及び前記後身頃の一方において、前記本体部に対して幅方向の端部から外側に延出する止着部と、前記前身頃及び前記後身頃の他方において、幅方向に延在し、前記本体部に積層され、最も非肌面側に配置され、前記止着部が固定されるパッチと、前記一方で非肌面側から外観可能に設けられた第一デザイン部と前記他方で非肌面側から外観可能に設けられた第二デザイン部とを有し、前記第一デザイン部及び前記第二デザイン部の外観が互いに同一又は類似するデザイン部と、を備える。前記本体部が、前記一方のみ又は前記他方のみに設けられるとともに幅方向に伸縮するギャザーを有する。
【発明の効果】
【０００７】
本発明によれば、パッチの位置の判別、及び、使用時において止着部（ファスニングテープ）をパッチへ固定する際の位置決めが容易である、新規な吸収性物品が得られる。また、本発明によれば、着用者に対する吸収性物品の前後の判別が容易である。
【図面の簡単な説明】
【０００８】
【図１】吸収性物品の基本構成を示す分解斜視図である。
【図２】非肌面側から平面視した展開状態の吸収性物品の基本構成を示す模式図である。
【図３】（ａ）は一方の仮想線（折曲線）にて本体部を折り畳んだ状態の吸収性物品を肌面側から平面視した模式図であり、（ｂ）は一対の仮想線にて本体部を折り畳んだ状態の吸収性物品を肌面側から平面視した模式図であり、（ｃ）は（ｂ）の吸収性物品が更に折り畳まれた状態を示す斜視図である。
【図４】パッチの端部における断面を示す模式図である。
【発明を実施するための形態】
【０００９】
以下、本件を実施するための形態を説明する。本実施形態で述べる吸収性物品は、装着時に着用者から排泄される尿や経血といった液体の水分（以下「排泄水分」という）を吸収体で吸収し保持する衛生用品である。この吸収性物品には、テープ型の紙おむつ（いわゆる「使い捨ておむつ」）が含まれる。
以下の実施形態では、吸収性物品としてテープ型の紙おむつ（以下、単に「テープ型おむつ」という。）を例示する。
【００１０】
テープ型おむつは、着用者に装着され、排泄物の水分を吸収して保持するおむつの一種である。テープ型おむつは、着用者の腰回りが周状に連続して構成されたパンツ型おむつとは異なり、腰回りの前後に分離した前身頃及び後身頃をもつ。このテープ型おむつは、乳幼児のほか、成人の要介護者といったさまざまな着用者に装着される。
【００１１】
本実施形態では、説明に用いる方向を下記のように定義する。
テープ型おむつについて、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、テープ型おむつが着用者に装着された状態（以下「装着状態」と略称する）において、着用者の肌に向かう側（装着された状態で内側）を肌面側とし、肌面側の反対側（装着された状態で外側）を非肌面側とする。さらに、肌面側と非肌面側とを結ぶ方向を厚み方向とし、長手方向と厚み方向の何れにも直交する方向を幅方向とする。そのほか、厚み方向に沿った方向から視ることを平面視とする。
【００１２】
［１．構成］
まず、図１及び図２を参照して、テープ型おむつ１の基本構成を説明する。その後に、テープ型おむつ１の詳細な構成を述べる。なお、下記の説明では「テープ型おむつ」を単に「おむつ」と略称する。
【００１３】
［１−１．基本構成］
おむつ１は、幅方向の中心線ＣＬ１を基準として対称に構成されている。また、おむつ１は長手方向Ｌに沿って前身頃１Ａ、股下部１Ｂ及び後身頃１Ｃの三つの領域に大別される。
【００１４】
〈吸収体〉
おむつ１には、前身頃１Ａ、股下部１Ｂ及び後身頃１Ｃに亘って長手方向に延びる吸収体１０が内蔵されている。この吸収体１０は、股下部１Ｂにおいて長手方向全域に配置され、前身頃１Ａ及び後身頃１Ｃにおいて長手方向端部を除く大部分に配置される。
吸収体１０は、水分を吸収して保持するマット状の部材である。この吸収体１０では、粉砕あるいは解繊されたパルプ（いわゆる「フラッフパルプ」）に吸水性樹脂（「ＳＡＰ〈Super Absorbent Polymer〉」とも称される）を混合したマットが親水性の不織布やティシュなどのラップシートで被包（ラップ）されている。
【００１５】
〈シート〉
上記した吸収体１０に対して肌面側及び非肌面側には、以下に述べる種々のシート１１，１２，１３，１４がおむつ１の長手方向全域に設けられ、本体部１００が構成される。つまり、本体部１００は、吸収体１０とシート１１，１２，１３，１４との積層体である。
吸収体１０に対して、肌面側にはセンターシート１１が積層され、非肌面側にはバックシート１２が積層される。バックシート１２の非肌面側には、カバーシート１４が積層される。また、センターシート１１の側方（幅方向外側）には、サイドシート１３が配置される。
【００１６】
センターシート１１は、水分を透過させて吸収体１０に吸収させるため、透水性を有する。また、センターシート１１は、サイドシート１３を除いて、おむつ１において最も肌面側に配置される（図１参照）。このことから、センターシート１１は「トップシート」とも称される。このセンターシート１１は、吸収体１０よりも幅方向寸法が大きく、肌面側から吸収体１０を被覆する。
【００１７】
バックシート１２は、吸収体１０からの液漏れを防ぐため、非透水性を有する。
また、サイドシート１３は、幅方向側方への液漏れを防ぐため、疎水性を有する。このサイドシート１３は、おむつ１において最も肌面側に配置される。このことから、サイドシートは、センターシートと同様に「トップシート」とも称される。
【００１８】
カバーシート１４は、上記した吸収体１０及びシート１１，１２，１３を非肌面側から被覆する。このカバーシート１４は、バックシート１２を補強するとともに触感（たとえば手触り）を向上させるために設けられる。このカバーシート１４としては、通気性を高める観点から、いわゆるエアスルー不織布を用いることが好ましい。
なお、カバーシート１４は、単層構造に限らず、インナカバーシートやアウターカバーシートを有する多層構造であってもよい。
【００１９】
〈ギャザー〉
そのほか、おむつ１には、装着状態における着用者への追従性を高めるため、立体ギャザー２１、レッグギャザー２２やウエストギャザー２３（ギャザー）などのギャザーが設けられている。これらのギャザー２１，２２，２３では、糸ゴム３１，３２，３３（弾性部材）の貼り付けられたサイドシート１３やバックシート１２などが皺寄せられる。なお、糸ゴム３１，３２，３３に替えて又は加えて、天然ゴムあるいは伸縮フィルムといった弾性部材を用いてもよい。
【００２０】
立体ギャザー２１は、幅方向外側への排泄物の漏出を防ぐため、サイドシート１３の幅方向内側に配備される。この立体ギャザー２１では、サイドシート１３の幅方向内側の端縁で長手方向に沿って糸ゴム３１が設けられている。
レッグギャザー２２は、着用者の脚部に対するおむつ１の隙間を抑えるため、装着状態において着用者の脚部周縁となる箇所に設けられる。このレッグギャザー２２では、股下部１Ｂ及びその周辺においてバックシート１２の幅方向外側の端縁で、長手方向に沿って糸ゴム３２が設けられている。
ウエストギャザー２３は、幅方向に伸縮し、着用者の胴回りのフィット性を調節するため、後身頃１Ｃの長手方向端部にのみ設けられる。このウエストギャザー２３では、後身頃１Ｃの長手方向の端縁で、幅方向に沿って糸ゴム３３が設けられている。
【００２１】
〈ファスニング機構〉
このおむつ１には、後身頃１Ｃで幅方向外側に延出するように取り付けられた一対の止着部６，６、いわゆるファスニングテープ６，６が設けられ、前身頃１Ａの最も非肌面側（外表面）にパッチ４が設けられている。ここでは、矩形のパッチ４が用いられる。ファスニングテープ６，６が引っ張られてパッチ４に止め着けられ、固定されることで、おむつ１が着用者に装着される。なお、以下において「ファスニングテープ」を「テープ」と略称する。
これらのパッチ４及びテープ６によって、止め着け機能を実現するファスニング機構が構成される。なお、図１及び図２では、本体部１００における後身頃１Ｃの幅方向両側に一つずつ設けられた一対のテープ６，６を例示する。ただし、幅方向Ｗの端部に設けられるテープ６の数は特に限定されず、少なくとも幅方向両側に一つずつのテープ６が設けられていればよい。
【００２２】
（ファスニングテープ）
テープ６は、基材シート６１と係止部材６２とを有する。
基材シート６１の幅方向内側の基部６１Ａ（一箇所のみ符号を付す）は、例えば、ヒートシールや超音波シールによってサイドシート１３及び／又はカバーシート１４に熱融着されていてもよいし、ホットメルトなどの接着剤によってサイドシート１３及び／又はカバーシート１４に接着されていてもよい。また、図１に示すように、基部６１Ａがサイドシート１３とカバーシート１４との間に挟装され、シート１３，１４に熱融着又は接着されていてもよい。つまり、基部６１Ａをサイドシート１３とカバーシート１４との間に挟装する態様では、基部６１Ａに対して、サイドシート１３のうち幅方向外側の端部が肌面側に積層され、カバーシート１４のうち幅方向外側の端部が非肌面側に積層される。
また、基材シート６１において、基部６１Ａを除く延出部６１Ｂ（一箇所のみ符号を付す）は、シート１３，１４よりも幅方向外側に延在する状態に設けられている。
【００２３】
基材シート６１を構成する材料としては、例えば、織布、不織布、その他の布、紙、プラスチックフィルム又はこれらの複合素材を用いることができる。また、不織布を構成する素材としては、例えば、ポリエチレン系、ポリプロピレン系、ポリアミド系、ポリエステル系、ポリ塩化ビニル系又はポリスチレン系の合成樹脂を用いることが好ましい。
【００２４】
係止部材６２は、基材シート６１における延出部６１Ｂの肌面側に設けられる。すなわち、係止部材６２と本体部１００とが基材シート６１によって幅方向に結ばれている。係止部材６２はパッチ４に係合可能な部材である。係止部材６２は、例えば、粘着剤や粘着テープであってもよいし、パッチ４に機械的に結合される面状ファスナーであってもよい。面状ファスナーとは、フック材（雄部材）とループ材（雌部材）の機械的結合により固定を行う仕組みである。面状ファスナーは、例えば、表面に多数の突起（鉤状、きのこ状等）が形成されたフック材と、表面にループ状の繊維が配置されたループ材との組み合わせにより構成される。例えば、テープ６の係止部材６２としてフック材を採用し、パッチ４の表面にループ材を形成すればよい。ただし、テープ６の係止部材６２としてループ材を採用し、パッチ４の表面にフック材を形成することも可能である。ループ材の表面にフック材を貼り合わせると、フック材の多数の突起がループ材の表面に係合する。このため、面状ファスナーによれば、フック材とループ材を剥離可能な状態で、かつ強固に固着させることができる。このように、繰り返しの使用が可能である点、及び固着強度が高いという点において、面状ファスナーを採用することが好ましい。
【００２５】
（パッチ）
パッチ４は、本体部１００における前身頃１Ａの外表面においてテープ６の止め着けを容易にするために設けられる。つまり、パッチ４は、本体部１００の非肌面側に外装（積層）される。
係止部材６２がフック材の場合、パッチ４としては、フィルム層と、その外面全体に設けられたループ材とを有するフィルムタイプのものを好適に用いることができる。ループ材には、係止部材６２のフック材が着脱自在に係合可能である。この場合におけるループ材としては、糸で編まれた網状体であってループを有するものがフィルム層上に取り付けられている形態の他、熱可塑性樹脂の不織布が間欠的な超音波シールによりフィルム層上に取り付けられ、不織布の繊維がループをなす形態等が挙げられる。また、パッチ４として、熱可塑性樹脂の不織布にエンボス加工を施したものでフィルム層が無いフィルムレスタイプのものを用いることもできる。フィルム層やループ材を構成する材料としては不織布が好ましく、基材シート６１を構成する材料として例示した合成樹脂等を用いた不織布がより好ましい。
【００２６】
上記のパッチ４は、以下に例示する機能１〜３の少なくも何れかを満たす。
・機能１：係止部材６２を取り付けるための適正な位置を示す機能
・機能２：係止部材６２の繰り返しの止め着けを安定させる機能
・機能３：カバーシート１４に止め着け不能な係止部材６２の止め着け先を確保する機能
上記の機能１は、パッチ４の延在範囲に係止部材６２が止め着けられることにより、適正な位置へのテープ６の止め着けに寄与し、着用者へのおむつ１の適正な装着に資する。
上記の機能２は、フック材の係止部材６２が繰り返し止め着けられた際に毛羽立ちし難い強度（物性）をパッチ４にもたせることにより、係止部材６２の繰り返しの止め着けが安定する。仮に、カバーシート（不織布）にフック材の係止部材が繰り返し止め着けられる場合には、不織布の毛羽立ちや止め着け安定性の低下を招くおそれがある。これに対し、パッチ４に係止部材６２を止め着けることにより、毛羽立ちの抑制や止め着け安定性の確保に資する。
上記の機能３は、係止部材６２がカバーシート１４に止め着けられない場合に、係止部材６２の止め着け先を確保することができる。
【００２７】
〈デザイン部〉
図２に示すように、本体部１００には、前身頃１Ａ及び後身頃１Ｃのそれぞれに外観可能な一対のデザイン部５Ａ，５Ｂが付されている。デザイン部５Ａ，５Ｂは、文字、図形、記号、模様若しくは色彩又はこれらの結合（以下、単に「図柄」という。）を有し、デザイン部５Ａ，５Ｂとそれ以外の部分とを目視により区別可能な領域である。このようなデザイン部５Ａ，５Ｂは、例えば、バックシート１２又はカバーシート１４の非肌面側に印刷加工を施すことで設けられる。あるいは、バックシート１２とカバーシート１４との間にデザイン部５が別設される。図２には、バックシート１２に設けられたデザイン部５Ａ，５Ｂを示す。
前身頃１Ａ及び後身頃１Ｃにおいてデザイン部５Ａ，５Ｂが配置される領域は特に限定されない。例えば、図２には、前身頃１Ａ及び後身頃１Ｃのそれぞれにおいて、本体部１００の長手方向端部から長手方向寸法の１／３又は１／４程度の位置までの範囲で長手方向の境界が規定され、吸収体１０の幅方向寸法と略等しい範囲で幅方向の境界が規定されたデザイン部５Ａ，５Ｂを示す。
デザイン部５Ａ，５Ｂは互いに同一の図柄であってもよいし、互いに異なる図柄であってもよい。また、デザイン部５Ａ，５Ｂは互いに少なくとも一部が同一の図柄であってもよい。なお、以下において「デザイン部５Ａ，５Ｂ」を単に「デザイン部５」と記載することがある。
【００２８】
ここで例示するデザイン部５Ａ，５Ｂには、図２に示すように、前身頃１Ａの前デザイン部５Ａ（第二デザイン部）と及び後身頃１Ｃの後デザイン部５Ｂ（第一デザイン部）とが設けられている。
本実施形態のデザイン部５Ａ，５Ｂは、外観が互いに同一又は類似する。ここでいう「外観が互いに同一又は類似するデザイン部５Ａ，５Ｂ」には、下記に例を列挙する態様１〜４の少なくとも何れかが含まれる。
・態様１：色彩又は模様が同一又は類似するデザイン部５Ａ，５Ｂ
・態様２：模様の配置が同一又は類似するデザイン部５Ａ，５Ｂ
・態様３：幅方向寸法が同一又は略同一のデザイン部５Ａ，５Ｂ
・態様４：長手方向寸法が同一又は略同一のデザイン部５Ａ，５Ｂ
例えば、デザイン部５Ａ，５Ｂは、長手方向に線対称又は略線対称な外観をなしている。
【００２９】
［１−２．詳細構成］
前身頃１Ａ及び後身頃１Ｃのそれぞれに外観可能な一対のデザイン部５Ａ，５Ｂの付された本体部１００において、パッチ４は前デザイン部５に外装（非肌面側に配置）される。図２に示すように、パッチ４は前デザイン部５Ａとの重複部４Ａ（主部）を有し、重複部４Ａにテープ６が止め着けられて固定される。なお、前デザイン部５Ａの幅方向寸法よりもパッチ４の幅方向寸法が大きい場合には、パッチ４は、重複部４Ａの幅方向外側に、デザイン部５と重複しない非重複部４Ｂ，４Ｂを有することがある。
このような態様のおむつ１では、前デザイン部５Ａとパッチ４との視覚的な混同を引き起こすことがあり、デザイン部５Ａ，５Ｂのどちら側にパッチ４が配置されているか視認が困難になること、つまり、使用者にとってパッチ４の位置の判別が困難になることがある。パッチ４の位置が判別できないと、使用者は、テープ６を適正位置に迅速に固定し、適度なフィット感で着用者におむつ１を装着することが難しい。また、使用者は、パッチ４の位置によりおむつ１の前後を認識することがあるため、パッチ４の位置が判別できないと、着用者に対するおむつ１の前後を錯誤するおそれがある。
特に、デザイン部５の視認性や見栄えを向上させるため、光透過性を有するパッチ４（透明又は半透明の材料を用いたパッチ４）、前デザイン部５Ａが有する色彩と同系の色彩を有するパッチ４、前デザイン部５Ａと同一の図柄のパッチ４や、前デザイン部５Ａと少なくとも一部が同一の図柄を有するパッチ４といった一体的に前デザイン部５Ａの外観を構成する重複部４Ａの設けられたパッチ４をデザイン部５に外装する場合には、パッチ４の位置の判別はさらに困難になる傾向がある。
なお、パッチ４の「光透過性」とは、パッチ４が外装された位置のデザイン部５に光を透過させると共に、そのデザイン部５が反射する反射光を視認可能な程度に透過させる機能である。
【００３０】
また、おむつ１は、製品出荷時において所定形状に折り畳まれた状態で包装体に収納される。例えば、おむつ１は、吸収体１０の幅方向Ｗにおける両端部（ここではデザイン部５Ａ，５Ｂの幅方向Ｗにおける両端部でもあり、デザイン部５Ａ，５Ｂが仮想線ＶＬ１，ＶＬ２の幅方向内側に配置される）において幅方向Ｗに直交し長手方向Ｌへ仮想的に延びる一対の仮想線ＶＬ１，ＶＬ２（折曲線）により、肌面側を内側にして、仮想線ＶＬ１，ＶＬ２よりも幅方向外側の部分が折り返される（図３（ａ）及び図３（ｂ）参照）。次いで、おむつ１は、幅方向Ｗに延びる仮想線ＶＬ３，ＶＬ４（折畳線）により、本体部１００が長手方向Ｌに対して三つ折りされて、所定形状の折り畳み状態となる（図３（ｃ）参照）。
【００３１】
このような折り畳み工程は、一般に、おむつ１の製造ラインの一部に組み込まれている。展開状態のおむつ１に対して適切な位置（例えば、仮想線ＶＬ１，ＶＬ２）で折り加工が施されないと、折り畳み状態のおむつ１は所定形状にならず、そのサイズにバラつきが生じる。その結果、折り畳み状態のおむつ１を包装体に収納する際に、包装体が破損するおそれがある。つまり、折り畳み状態のおむつ１を包装体に収納することが困難になり、おむつ１の生産性の低下を招くことがある。
特に、仮想線ＶＬ１，ＶＬ２での折り加工は、展開状態におけるおむつ１の肌面側を確認しながら行われるため、肌面側から平面視したときに本体部１００が実質的に同じ色彩を有する場合には、折り加工を施す適切な位置を判別しにくい。
また、折り畳み状態のおむつ１（図３（ｃ）参照）を使用する際に、使用者は、まず、仮想線ＶＬ３，ＶＬ４による折り畳みを長手方向Ｌに展開する（図３（ｂ）参照）。そして、使用者は、仮想線ＶＬ１，ＶＬ２による折り返しを展開し、その後、おむつ１を着用者に装着する。
【００３２】
以下、図３（ａ）〜（ｃ）に示すように少なくとも仮想線ＶＬ１，ＶＬ２で折り畳まれた状態を「折畳状態」と称する。折畳状態のおむつ１では、一対の仮想線ＶＬ１，ＶＬ２よりも幅方向外側の第一面が、一対の仮想線ＶＬ１，ＶＬ２よりも幅方向内側の第二面に対して対面して重ね合わせられる。また、図２に示すように仮想線ＶＬ１，ＶＬ２，ＶＬ３，ＶＬ４での折り畳みが展開された平面状の状態を「展開状態」と称する。
このように、使用者はおむつ１を肌面側から平面視しながら展開し、着用者に対する装着作業を進める。図３（ｃ）に示す折畳状態のおむつ１を見た使用者は、パッチ４の位置によりおむつ１の前後を判別できる場合もあるが、本態様のおむつ１ではデザイン部５とパッチ４との視覚的な混同を引き起こしやすいため、パッチ４の視認が困難である。つまり、使用者は、パッチ４の位置により、おむつ１の前後を判別できないことがある。また、展開状態のおむつ１は、長手方向の中心線ＣＬ２（基準線，図３参照）を基準として全体形状が線対称又は略略線対称である、あるいは、デザイン部５Ａ，５Ｂの外観が互いに同一または類似するため、展開状態のおむつ１を肌面側から平面視するだけでは、おむつ１の前後の判別が難しい。
【００３３】
〈識別部と弾性部材との関係〉
そこで、図２に示すように、幅方向Ｗに伸縮する糸ゴム３３を後身頃１Ｃにのみ配置している。
糸ゴム３３により、バックシート１２の後身頃１Ｃ部分のみが幅方向Ｗに皺寄せられたウエストギャザー２３が形成されるため、使用者はウエストギャザー２３の触覚により、おむつ１の前後位置を判別できる。
【００３４】
また、パッチ４を前身頃１Ａにのみ配置している。このパッチ４には、幅方向の両端部に一対の識別部４Ｃ，４Ｃを設けている。一対の識別部４Ｃ，４Ｃは、展開状態のおむつ１を非肌面側から見たときに周囲の色彩と異なる色彩（第二色彩）である。具体的に言えば、識別部４Ｃ，４Ｃの色彩は、パッチ４の重複部４Ａ及び本体部１００の色彩とは異なる。このようにパッチ４において延在方向の両端部に位置する一対の識別部４Ｃ，４Ｃは、互いに実質的に同じ色彩を有している。一方、パッチ４の重複部４Ａは、一体的に前デザイン部５Ａの外観を構成する。
【００３５】
このような態様のおむつ１において、仮想線ＶＬ１，ＶＬ２で折り加工が行われると、肌面側から平面視したときに、識別部４Ｃ，４Ｃを視認できる（図３（ｂ）参照）。そのため、識別部４Ｃ，４Ｃを折り加工が適切な位置にて行われたか否かを判別するマーカーとして利用できる。つまり、識別部４Ｃ，４Ｃの互いの位置をマーカー認識手段により検出することで、適切な位置で折り加工が行われたおむつと、不適切な位置で折り加工が行われたおむつとを判別できる。マーカー認識手段としては、反射タイプや透過タイプの光電管を用いる認識装置、ＣＣＤカメラや一般的なカメラを利用した撮像装置等が挙げられる。上記の適切な位置で折り加工が行われたおむつ１に対して、仮想線ＶＬ３，ＶＬ４による三つ折り加工を行うことで、所定形状に折り畳まれたおむつ１を効率よく製造できる。その結果、包装体に対する折り畳まれたおむつ１の収納性が向上し、おむつ１の生産性に優れる。なお、不適切な位置で折り加工が行われたおむつは、展開され、再び折り畳み工程が行われる。
【００３６】
通常、パッチ４はおむつ１の幅方向の中心線ＣＬ１（図１参照）を基準として対称に配置される。パッチ４の幅方向Ｗにおける両端部に一対の識別部４Ｃ，４Ｃを設けることで、使用者は、おむつ１の中心位置、及び、一対の識別部４Ｃ，４Ｃの間に存在するパッチ４の位置を判別することができる。そして、使用者は、パッチ４の位置から、おむつ１の前後を推測できる。
したがって、使用者は、前身頃１Ａに配置されたパッチ４の位置と後身頃１Ｃに配置されたウエストギャザー２３の位置とから、おむつ１の前後を判別できる。その結果、着用者に対するおむつ１の位置決めが容易になる。また、おむつ１を装着する際にテープ６のパッチ４への止め着け、すなわち、パッチ４に対するテープ６の位置決めが容易になる。
なお、パッチ４は、中心線ＣＬ１を基準として非対称に配置されてもよい。このように配置されたパッチ４であっても、一対の識別部４Ｃ，４Ｃにより、使用者はパッチ４の位置を判別することができる。また、以下において「識別部４Ｃ，４Ｃ」を単に「識別部４Ｃ」と記載することがある。
【００３７】
ここでは、パッチ４を一対の仮想線ＶＬ１，ＶＬ２よりも幅方向外側に延在させている。このような態様のパッチ４とすることで、使用者は、保管状態のおむつ１（図３（ｃ）参照）において、仮想線ＶＬ３，ＶＬ４による本体部１００の折り返しを展開したとき（図３（ｂ）参照）に、肌面側からの平面視により識別部４Ｃ，４Ｃを視認できる。さらに、展開状態のおむつ１を非肌面側から見たときに識別部４Ｃ，４Ｃを視認できる。換言すれば、折畳状態のおむつ１を非肌面側から見た場合、デザイン部５Ａ，５Ｂは視認可能なものの、識別部４Ｃ，４Ｃは視認不能である。折畳状態のおむつ１を肌面側から見た場合には、識別部４Ｃ，４Ｃは視認可能であるものの、デザイン部５Ａ，５Ｂは視認不能である。そのため、折畳状態のおむつ１を肌面側から見る使用者や展開状態のおむつ１を非肌面側から見る使用者は、パッチ４の位置を判別することで、おむつ１の前後を推測できる。
したがって、使用者は着用者に対するおむつ１の位置決めを迅速に行うことができる。
そのほか、折畳状態のおむつ１を非肌面側から見たときには、識別部４Ｃ，４Ｃが視認不能であることから、折畳状態のおむつ１を非肌面側から見たときのデザイン部５Ａ，５Ｂによる装飾性を確保可能である。
【００３８】
識別部４Ｃを形成する方法は特に限定されない。例えば、識別部４Ｃはパッチ４に印刷加工を施すことで形成できる。なお、一対の識別部４Ｃ，４Ｃは、互いに同系の色彩を有してもよいし、互いに異なる色彩を有してもよい。
【００３９】
なお、上述した用語の意味は以下のとおりである。
「識別部４Ｃ」とは、識別部４Ｃとその他の部分とを目視により区別可能な領域である。具体的には、識別部４Ｃは、おむつ１を展開した状態（図２参照）において非肌面側から平面視したときに、パッチ４における他の部位のほか、前デザイン部５Ａ及び本体部１００と異なる色彩を有する。
ここで、「パッチ４における他の部位」とは、パッチ４における識別部４Ｃ，４Ｃ以外の部位をいい、例えば、重複部４Ａや非重複部４Ｂが挙げられる。つまり、展開状態のおむつ１を非肌面側から平面視したとき、パッチ４における他の部位の色彩には、重複部４Ａの色彩及び非重複部４Ｂの色彩が含まれる。なお「前デザイン部５Ａの色彩」とは、前デザイン部５Ａを平面視したときに、最も広面積を占める色彩のことをいう。
また、「本体部１００の色彩」とは、非肌面側から本体部１００を平面視したときに主に視認できる色彩（以下、「非肌面側の地色」と記載することがある。）である。具体的には、図２に示す展開したおむつ１を非肌面側から平面視したときに、本体部１００において最も広面積を占める色彩を、非肌面側の地色という。ここでは、全域に亘って実質的に同じ白色（第一色彩）の本体部１００を例に挙げる。すなわち、本体部１００の地色として白色を例示する。ただし、非肌面側に２色以上の色彩を有する本体部１００では、この本体部１００において最も広面積を占める色が地色となる。
例えば、展開状態のおむつ１を非肌面側から平面視したときに識別部４Ｃの全てが前デザイン部５Ａと重複する場合には、識別部４Ｃは、重複部４Ａの色彩及び前デザイン部５Ａの色彩と異なる色彩を有する。前デザイン部５Ａと識別部４Ｃとが一部重複する場合には、識別部４Ｃは、重複部４Ａの色彩、前デザイン部５Ａの色彩、及び、非肌面側の地色と異なる色彩を有する。前デザイン部５Ａと識別部４Ｃとが重複しない場合には、識別部４Ｃは、非重複部４Ｂの色彩及び本体部１００の非肌面側の地色と異なる色彩を有する。
【００４０】
「同系の色彩」とは、実質的に同じ色彩を含む同系統の色彩、すなわち、色相が同じ又は近似する色彩を意味する。ここで、「実質的に同じ色彩」とは、明るさ、色相又は彩度の全てが略同じであることを意味する。換言すれば、「実質的に同じ色彩」とは、対比する色彩同士が完全に同一色彩でなくても、太陽光や通常の照明光の下で、対比する色彩同士を区別して視認することが困難な程度の同一性を有することである。
「異なる色彩」とは、明るさ、色相又は彩度のうち、少なくともいずれか一つが異なることを意味する。例えば、単に色相が異なるものばかりでなく、同じ色相であっても、彩度又は明度が異なるものは「異なる色彩」である。
【００４１】
〈重複部〉
前デザイン部５Ａに外装されるパッチ４において、重複部４Ａの全光線透過率は６５〜９９％であることが好ましい。重複部４Ａの全光線透過率が上記範囲のパッチ４は、少なくとも重複部４Ａが透明又は半透明となる。このような態様では、前デザイン部５Ａとパッチ４との視覚的な混同を引き起こしやすく、パッチ４の位置の判別がより困難になる傾向がある。しかし、パッチ４が幅方向Ｗの両端部に識別部４Ｃ，４Ｃを有することで、使用者はパッチ４の位置を容易に判別できる。
また、重複部４Ａの全光線透過率が上記範囲のパッチ４を用いると、前デザイン部５Ａにパッチ４を外装しても、前デザイン部５Ａの外観がパッチ４の存在に影響されにくく、前デザイン部５Ａの視認性や見栄えに優れる。その結果、使用者のおむつ１に対する購買意欲を高めることができる。
ここで、「全光線透過率」とは、ＪＩＳ  Ｋ  ７３６１−１（プラスチック−透明材料の全光線透過率の試験方法−第一部：シングルビーム法）に準拠した測定法により測定された値である。重複部４Ａの全光線透過率は、パッチ４を構成する材料の選択（例えば、不織布を使用する場合にはその繊維径〔ｄｔｅｘ（デシテックス）〕やその目付量、填料〔酸化チタン等〕の配合量）や、パッチ４の厚み寸法等により調整できる。
【００４２】
上記範囲の全光線透過率を充足するパッチ４を構成する材料として不織布を用いる場合、その繊維径は０．５〜１．２ｄｔｅｘが好ましく、また、その目付量は１６ｇ／ｍ２以下が好ましい。
ここで、繊維径は、パッチ４の重複部４Ａを、幅方向に略５等分し、略５等分された重複部４Ａからそれぞれ１ｃｍ角の試験片をサンプリングし、顕微鏡で繊維の直径を各２０点ずつ測定し、その平均値から算出できる。また、目付量は、パッチ４の重複部４Ａから、縦２０ｃｍ×横２０ｃｍの試験片を任意に５枚採取して質量を測定し、その平均値を単位面積当たりの重量に換算して算出できる。
【００４３】
また、前デザイン部５Ａの面積に対する重複部４Ａの面積の割合は３０〜７０％であることが好ましい。前デザイン部５Ａの面積に対する重複部４Ａの面積の割合を上記範囲とすることで、テープ６をパッチ４に固定する際の位置決めが容易になると共に、デザイン部５の視認性や見栄えに優れる。したがって、使用者は着用者におむつ１を装着させることが容易になり、また、使用者のおむつ１に対する購買意欲を向上させることができる。
【００４４】
また、パッチ４が透明又は半透明な場合、重複部４Ａは、前デザイン部５Ａの色彩とは異なる色彩を有してもよい。前デザイン部５Ａの色彩と重複部４Ａの色彩とが異なることで、パッチ４の位置の判別がより容易になる。
【００４５】
〈パッチとデザイン部の幅方向寸法の関係〉
また、図２に示すように、パッチ４の幅方向寸法は、前デザイン部５Ａの幅方向寸法よりも大きく、識別部４Ｃ，４Ｃは前デザイン部５Ａから幅方向外側に離隔している。言い換えると、パッチ４は、重複部４Ａの幅方向外側に前デザイン部５Ａと重複しない非重複部４Ｂを有する。つまり、この態様のパッチ４は、重複部４Ａ、非重複部４Ｂ及び識別部４Ｃを有する。
非重複部４Ｂの幅方向寸法は特に限定されないが、識別部４Ｃ，４Ｃと重複部４Ａとを適度に離間させ、識別部４Ｃ，４Ｃの視認性を向上させる観点からは、好ましくは５ｍｍ以上、より好ましくは１０ｍｍ以上であり、好ましくは３０ｍｍ以下、より好ましくは２０ｍｍ以下である。このような態様のパッチ４によれば、使用者は、保管状態のおむつ１（図３（ｃ）参照）において、仮想線ＶＬ３，ＶＬ４による本体部１００の折り返しを展開したとき（図３（ｂ）参照）に、肌面側からの平面視により識別部４Ｃ，４Ｃを視認できる。また、使用者は、非肌面側の地色との色差や非重複部４Ｂとの色差により識別部４Ｃ，４Ｃを視認しやすいため、パッチ４の位置を容易に把握できる。したがって、使用者は、着用者に対するおむつ１の前後を判別し、おむつ１の位置決めを迅速に行うことができる。
【００４６】
例えば、識別部４Ｃ，４Ｃと非肌面側の地色との色差は、市販の測色器を用いて測色を行い、ＪＩＳ  Ｚ  ８７２９等に規定されるＣＩＥ１９７６（Ｌ＊ａ＊ｂ＊）色空間に基づいて数値化した値を比較することによって求めることができる。具体的には、測定対象たる２点（識別部４Ｃの色彩と非肌面側の地色）間のＬ＊値の差がΔＬ＊、ａ＊値の差がΔａ＊、ｂ＊値の差がΔｂ＊であるときに、色差ΔＥ＊ａｂ＝［（ΔＬ＊）２＋（Δａ＊）２＋（Δｂ＊）２］１／２によって求められる。この色差ΔＥ＊ａｂが好ましくは１．５以上、より好ましくは３．０以上である場合に、使用者が目視により感知し得る程度に色彩が異なるといえる。言い換えれば、上記「異なる色彩」とは、色差が上記範囲であることを意味する。また、上記の「同系の色彩」とは、色差が好ましくは１．５未満であることを意味し、上記の「実質的に同じ色彩」とは、色差が好ましくは１．０未満であることを意味する。
なお、ここでいう「識別部４Ｃの色彩」とは、識別部４Ｃを平面視したときに、最も広面積を占める色彩のことをいう。
【００４７】
〈フラップ〉
また、図４に示すように、パッチ４は幅方向の両端部に一対のフラップ４Ｄ，４Ｄを有する。フラップ４Ｄ，４Ｄはパッチ４の両端部に形成された自由端である。なお、以下において「フラップ４Ｄ，４Ｄ」を単に「フラップ４Ｄ」と記載することがある。
図４では、フラップ４Ｄは、パッチ４において識別部４Ｃと共に、端部に設けられている。幅方向Ｗの両端部にフラップ４Ｄを有するパッチ４によれば、使用者は触覚でもパッチ４の位置を判別することが可能になる。
フラップ４Ｄの幅方向寸法Ｗ４Ｄは特に限定されない。フラップ４Ｄの幅方向寸法Ｗ４Ｄが小さすぎると触覚による判別が困難になる傾向がある。一方、フラップ４Ｄの幅方向寸法Ｗ４Ｄが大きすぎると、おむつ１を仮想線ＶＬ１，ＶＬ２にて折り畳む際にフラップ４Ｄが装置に挟まる等の不具合を引き起こす原因になることがある。上記観点から、フラップ４Ｄの幅方向寸法Ｗ４Ｄは、好ましくは１ｍｍ以上、より好ましくは３ｍｍ以上であり、好ましくは１０ｍｍ以下、より好ましくは７ｍｍ以下である。なお、フラップ４Ｄの長手方向寸法は、パッチ４の長手方向寸法と略同じである。
【００４８】
また、視覚及び触覚によるパッチ４の位置の判別をより容易にする観点からは、識別部４Ｃの幅方向寸法Ｗ４Ｃに対するフラップ４Ｄの幅方向寸法Ｗ４Ｄの割合（Ｗ４Ｄ／Ｗ４Ｃ）は、好ましくは１５％以上、より好ましくは２５％以上であり、好ましくは５０％以下、より好ましくは４０％以下である。
【００４９】
〈模様〉
また、パッチ４は模様を有していてもよい。非肌面側からの平面視において、パッチ４の模様が前デザイン部５Ａや本体部１００の有する模様と異なる場合には、模様によりパッチ４の位置を判別することができる。このような模様は、印刷加工やエンボス加工により形成できる。模様は、パッチ４の全体に形成してもよいし、一部に形成してもよい。例えば、識別部４Ｃ，４Ｃにのみ模様を形成すこともできる。パッチ４の位置の判別を容易にする観点からは、パッチ４の全体に模様を施すことが好ましい。
【００５０】
〈ファスニングテープ〉
基材シート６１及び／又は係止部材６２（テープ６の少なくとも一部）は、一対の識別部４Ｃ，４Ｃと同系の色彩（第二同系色彩）を有することが好ましい。基材シート６１及び／又は係止部材６２と、識別部４Ｃとを同系の色彩とすることで、使用者は、色彩の似ている部材同士を止め着けることを視覚的に容易に判別できる。したがって、使用者は、識別部４Ｃ，４Ｃの間に存在するパッチ４にテープ６を迅速に固定し、適度なフィット感で着用者におむつ１を装着できる。
なお、基材シート６１や係止部材６２は単色であってもよいし、２色以上を有していてもよい。基材シート６１や係止部材６２が２色以上の色彩を有する場合には、平面視したときに最も広面積を占める色彩が、識別部４Ｃと同系の色彩であればよい。
【００５１】
例えば、基材シート６１は、係止部材６２と異なる色彩を有することが好ましい。具体的には、基材シート６１が、肌面側及び非肌面側から平面視したときに、本体部１００と同系の色彩（第一色彩又は第一同系色彩）を有し、係止部材６２の色彩と識別部４Ｃの色彩とが同系の色彩となることが好ましい。
基材シート６１と本体部１００とが実質的に同じ色彩を有する場合、使用者は、折り畳み状態のおむつ１（図３（ｃ）参照）から、仮想線ＶＬ３，ＶＬ４による本体部１００の折り返しを展開したとき（図３（ｂ）参照）に、肌面側から平面視したときにテープ６の位置を判別しづらいことがある。このような態様であっても、上記構成を有するおむつ１によれば、パッチ４の位置とウエストギャザー２３の位置とから、おむつ１の前後を判別できるため、使用者は着用者に対するおむつ１の位置決めを迅速に行うことができる。
【００５２】
また、基材シート６１の色彩は、本体部１００の白色と異なる色彩であるとともに一対の識別部４Ｃ，４Ｃと同系の第二同系色彩であってもよい。この場合の係止部材６２は、本体部１００の白色と同系の色彩（第一色彩，第一同系色彩）であることが好ましい。すなわち、本体部１００に対して、係止部材６２を色彩の相違によって見分けるのが困難であるものの、基材シート６１を色彩の相違によって見分けやすい構成が好ましい。
上記のように第二同系色彩の基材シート６１によっても、おむつ１の前後を判別できるため、使用者は着用者に対するおむつ１の位置決めを迅速に行うことができる。
なお、白色と異なる色彩（いわば着色した色彩）の係止部材６２は色の調整が困難であり、製造コストが高まるおそれがある。これに対し、本体部１００の白色と同系色彩の係止部材６２は色の調整が容易であるうえに、係止部材６２と比較して色の調整が容易な基材シート６１に着色することから、製造コストの上昇が抑制可能である。
そのほか、テープ６が全域に亘って白色（第一色彩）であってもよい。この場合には、上述したようにテープ６の色彩でおむつ１の前後を判別することはできないものの、識別部４Ｃの色彩によっておむつ１の前後判別する手段が確保されたうえで、テープ６の着色コストを抑えることができる。
【００５３】
〈寸法〉
また、パッチ４やデザイン部５等の具体的寸法は以下のとおりである。
パッチ４の幅方向寸法は、通常１００ｍｍ以上、好ましくは１５０ｍｍ以上であり、通常２５０ｍｍ以下、好ましくは２００ｍｍ以下である。また、パッチ４の長手方向寸法は、通常２０ｍｍ以上、好ましくは３０ｍｍ以上であり、通常６０ｍｍ以下、好ましくは５０ｍｍ以下である。なお、図２には、幅方向寸法が１８０ｍｍであり、長手方向寸法が４０ｍｍのパッチ４を示す。
【００５４】
識別部４Ｃの幅方向寸法Ｗ４Ｃは、通常５ｍｍ以上、好ましくは１０ｍｍ以上であり、通常２５ｍｍ以下、好ましくは２０ｍｍ以下である。また、識別部４Ｃの長手方向寸法は、通常２０ｍｍ以上、好ましくは３０ｍｍ以上であり、通常６０ｍｍ以下、好ましくは５０ｍｍ以下である。なお、図２には、長手方向寸法がパッチ４の長手方向寸法と同じであって、パッチ４の端部から幅方向内側に１５ｍｍの領域に色彩の付された一対の識別部４Ｃ，４Ｃを示す。
【００５５】
デザイン部５の幅方向寸法は、通常８０ｍｍ以上、好ましくは１００ｍｍ以上であり、通常２００ｍｍ以下、好ましくは１５０ｍｍ以下である。また、デザイン部５の長手方向寸法は、通常８０ｍｍ以上、好ましくは１００ｍｍ以上であり、通常２００ｍｍ以下、好ましくは１５０ｍｍ以下である。なお、図２には、幅方向寸法及び長手方向寸法がそれぞれ１２０ｍｍのデザイン部５Ａ，５Ｂを示す。
【００５６】
上記寸法のパッチ４及びデザイン部５を備えるおむつ１では、デザイン部５とパッチ４との視覚的な混同が特に生じやすい傾向にある。したがって、パッチ４の両端部に上記寸法の識別部４Ｃ，４Ｃを設けることで、このような混同を確実に防止し、使用者はパッチ４の位置を容易に判別できる。
【００５７】
［２．作用及び効果］
本実施形態のおむつ１は、上述のように構成されるため、以下のような作用及び効果を奏する。
（１）本発明によれば、新規な吸収性物品が提供される。
（２）前身頃１Ａ及び後身頃１Ｃのそれぞれに設けられたデザイン部５Ａ，５Ｂによりパッチ４の位置の判別が困難な態様の吸収性物品１であっても、パッチ４の幅方向における両端部に識別部４Ｃ，４Ｃを設けることで、使用者はパッチ４の位置を確実に判別できる。また、ウエストギャザー２３を後身頃１Ｃにのみ配置することで、使用者は、ウエストギャザー２３の位置とパッチ４の位置とから吸収性物品１の前後関係を判別できる。したがって、本発明によれば、パッチ４の位置、及び着用者に対する吸収性物品１の前後の判別が容易であり、ファスニングテープ６をパッチ４に固定する際の位置決めがしやすい吸収性物品１が提供される。
【００５８】
［３．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００５９】
例えば、テープ６の配置箇所（前身頃１Ａ及び後身頃１Ｃの一方）は、後身頃１Ｃに限定されず、前身頃１Ａであってもよい。この場合には、パッチ４の配置箇所（前身頃１Ａ及び後身頃１Ｃの他方）は後身頃１Ｃとなる。そして、上記実施形態においては、「前身頃１Ａ」を「後身頃１Ｃ」と読み替えるとともに「後身頃１Ｃ」を「前身頃１Ａ」と読み替えればよい。
また、ウエストギャザー２３を構成する糸ゴム３３の配置箇所は、後身頃１Ｃに替えて前身頃１Ａであってもよい。例えば、糸ゴム３３とパッチ４とが前身頃１Ａに配置されると、糸ゴム３３とともにパッチ４が幅方向Ｗに伸縮し、テープ６の止め着けが難しくなることがある。そのため、パッチ４を前身頃１Ａに配置する場合には、糸ゴム３３は後身頃１Ｃに配置することが好ましい。この場合、後身頃１Ｃには、糸ゴム３３とともにテープ６が配置される。糸ゴム３３とともにテープ６が後身頃１Ｃに配置される場合には、おむつ１の装着時にテープ６を幅方向Ｗに引っ張る際に糸ゴム３３が伸縮するため、着用者に対するおむつ１のフィット感の調整がしやすい。
【符号の説明】
【００６０】
１      おむつ（テープ型おむつ）
１Ａ    前身頃
１Ｂ    股下部
１Ｃ    後身頃
１０    吸収体
１１    センターシート
１２    バックシート
１３    サイドシート
１４    カバーシート
２１    立体ギャザー
２２    レッグギャザー
２３    ウエストギャザー
３１，３２，３３  糸ゴム（弾性部材）
４      パッチ
４Ａ    重複部
４Ｂ    非重複部
４Ｃ    識別部
４Ｄ    フラップ
５      デザイン部
６      止着部（ファスニングテープ，テープ）
６１    基材シート
６１Ａ  基部
６１Ｂ  延出部
６２    係止部材
１００  本体部
【図１】
2020039795.tif 000003
【図２】
2020039795.tif 000004
【図３】
2020039795.tif 000005
【図４】
2020039795.tif 000006